【事件の表示】
　平成　５年特許願第１１９９９８号「液晶表示装置」拒絶査定に対する審判事件［平成　６年１２月　２日出願公開、特開平　６−３３１９６０］について、次のとおり審決する。
【結　論】
　本件審判の請求は、成り立たない。
【理　由】
１．手続の経緯・本願発明
　本願は、平成５年５月２１日の出願であって、その特許請求の範囲の請求項１ないし３に係る発明は、平成１３年２月１６日付け及び平成１３年７月２６日付けの手続補正書によって補正された明細書及び図面の記載からみて、その請求項１ないし３に記載されたとおりのものと認められるところ、その請求項１に記載された発明は次のものである。
「【請求項１】略直交する電極群を有した液晶セルと、所定の関数に従った電圧値を用いて前記液晶セルの一方の電極群の複数行に同時に電圧を印加する第１の回路と、表示の画素情報を前記所定の関数に従って印加電圧を決定し前記液晶セルの他方の電極群に電圧を印加する第２の回路と、第１の回路と前記第２の回路に複数のバイアス電圧を供給するバイアス回路とを有し、第２の回路に供給するバイアス電圧群を第１の回路に供給する電圧値の中心電位に対して略対称にし、前記第１、第２の回路は所定周期で前記所定の関数の極性を変化させて電極群に印加される電圧の極性を反転させることを特徴とする液晶表示装置。」（以下、「本願発明」という。）
　
２．引用刊行物
　これに対して、原査定の拒絶理由に引用された特開平５−１００６４２号公報（以下、「引用例」という。）には、次の事項が図面とともに記載されている。
「【課題を解決するための手段】本発明によれば、新しいアドレス方法、及びいくつかのより高速応答の高密度情報量ＬＣＤパネルの好適実施例が提供される。このアドレス方法及び好適実施例は、明るい、高コントラストの、高密度情報量のビデオ速度の表示であって、整列不安定の恐れの無いものを提供する。
【００１３】本発明の方法では、マトリクスの行電極は、その各々が一連のパルスを含む行信号によって連続的に駆動される。行信号は時間的に周期性があり、フレーム周期に対応する共通の周期Ｔを持つ。行信号は表示されるべき情報又はデータとは無関係であり、直交・・・であり且つ正規化・・・されていること、すなわち直交正規・・・であることを好適とする。茲で正規化という用語はすべての行信号がフレーム周期上で積分された同一のｒｍｓ振幅を持つという意味であり、また直交という用語は、もしある行電極に与えられた信号の振幅が他の行電極に与えられた信号の振幅と乗算されるならば、この積のフレーム周期上での積分は０になるという意味である。
・・・
【００１５】本発明の方法によってＬＣＤがアドレスされる時には、各ピクセルにより認識されるピーク振幅とｒｍｓ振幅との比は２−５の範囲内にあり、これは高密度情報量のＬＣＤに対する在来型の多重化アドレス付与方式・・・の場合よりも遙かに低いから、フレーム応答は思い切って低減される。５０ｍｓ程度の時定数を持つＬＣＤパネルに対しては、ピクセルはより明るい明るさの状態とより暗い暗さの状態を持ち、従ってより高いコントラスト比を持つものと理解される。高いピーク振幅信号によりもたらされる整列の不安定さも同様に消滅する。」（【００１２】〜【００１５】）、
「本アドレス方法は、図１及び図２に掲げるｒｍｓ応答液晶表示（ＬＣＤ）に関連して最適に記述される。表示システム１０はＬＣＤディスプレイ１２を持ち、それは図２に極めてはっきり示されているように、間隔の近接した平行ガラス板１４及び１６を有することを好適とする。シール１８がプレート１４及び１６の周りに施されて、空隙２０を持つ密封セル・・・が作り出され、空隙２０の寸法（ｄ）は４μｍと２０μｍとの間にあるが、更に薄いセル空隙及び更に厚いセル空隙も知られている。ネマティック液晶素材２１はセル空隙内に配置される。
【００２１】透明導電ライン・・・電極のＮ×Ｍマトリクスがプレート１４及び１６の内側の面に載せられている。説明のために一般的に、水平電極は行電極２２１−２２Ｎと書き、垂直電極は列電極２４１−２４Ｍと書く。場合によっては１つ又は２つの特定の電極を引用することが必要になろう。それらの場合には、ある１つの電極は、Ｎ×Ｍマトリクス中のＮ個の行電極のｉ番目の電極、例えば２２ｉ但しｉ＝１ないしＮ、ということにする。同様に特定の列電極をｊ番目の電極、例えば２４ｊ但しｊ＝１ないしＭ、ということにする。以下に論ずる他のマトリクスについても同じ名付け方を用いる。
【００２２】図１に示す電極のパターンは何百もの行と列とを有し、行電極２２１−２２Ｎと列電極２４１−２４Ｍとが重なり合うごとに、例えば行電極２２ｉが列電極２４ｊと重なり合うところにピクセル２６ｉｊが形成される。以下に説明するアドレス方法の特徴を利用するのに好都合な他の電極パターンも可能なことは明らかであろう。例を挙げれば、電極を一方のプレート上では渦巻き状・・・に、もう一方のプレート上では放射状・・・に配列してもよいし、あるいはまた文字数字表示・・・のセグメントとして配列してもよい。
【００２３】ディスプレイ１２の行電極２２１−２２Ｎの各々は、共通の周期Ｔをそれぞれが持つ周期的時間従属・・・行信号２８１−２８Ｎで駆動され、共通の周期Ｔとはフレーム周期である。以下に掲げる数式では、行信号２８ｉの振幅のことをＦｉ（ｔ）と書く。本発明のアドレス方法に対しては、行信号２８１−２８Ｎがフレーム周期Ｔに亙って周期的且つ直交正規であることが十分条件である。
【００２４】用語「直交正規」とは「直交」と「正規」との組合せである。数学用語としては、正規というのは行信号２８１−２８Ｎがすべて同じｒｍｓ振幅を持つように正規化されているという意味であり、直交というのは、各行信号２８ｉが他の行信号、例えば２８ｉ＋３と乗算されたときに、そのフレーム周期に亙る積分が０になるという意味である。」（【００２０】〜【００２４】）、
「ウォルシュ・・・関数マトリクスの説明図１に示す一般化されたアナログ行信号２８１−２８Ｎは双レベル・・・信号であり得る。双レベル信号は標準ディジタル技術を用いて特に容易に生成されるという点で有利である。ウォルシュ関数は、行アドレス付与信号に使用できる双レベル直交正規関数の一例である。ウォルシュ行信号は、Ｗｉｊを２Ｓ×２Ｓウォルシュ関数マトリクスのエレメントでその値は＋１か−１であるとするとき：Ｆｊ（ｔ）＝Ｆ・Ｗｉｋ＝Ｆ・Ｗｉ（Δｔｋ）という形をとる。指数ｉはウォルシュ・マトリクスのｉ番目の行に対応すると同時にディスプレイのｉ番目の行に対応する。ウォルシュ・マトリクスの列は、フレーム周期Ｔを２Ｓ個の等しい時間間隔Δｔに分割した時間軸・・・に対応する。また指数ｋは、数式（１４）中に出て来るように、ｋ番目の時間間隔Δｔｋを示す。ウォルシュ・マトリクスのエレメントはその値が＋１か又は−１のどちらかであるから、振幅Ｆｉ（ｔ）は２つの値のうちのどちらか１つ、すなわち時間間隔Δｔｋの各々に対して＋Ｆか又は−Ｆのうちのどちらかであると仮定する。
【００４０】列信号３０１−３０Ｍは数式（１４）を数式（１３）に代入すれば得られるのであって：・・・となる。
【００４１】３２×３２（ｓ＝５）のウォルシュ関数マトリクス４０の一例が図３に示され、このマトリクスの対応する行から導かれるウォルシュ波の１周期が図４に示される。各周期の終わりにウォルシュ波は反復する。図３及び図４の例では、ウォルシュ関数がシーケンシー・・・の順に並べてあり、各ウォルシュ波のシーケンシーはその１つ前のウォルシュ波のシーケンシーより１だけ大きい。「シーケンシー」というのは、各ウォルシュ波が１フレーム周期の間に電圧ゼロの線と交差する（すなわち転移・・・が起きる）回数のことであって、図４では各ウォルシュ波の左端にそのシーケンシーが記入してある。
【００４２】ウォルシュ関数は、その各々が２Ｓ個の時間間隔を持つ２Ｓ個の関数の完全なセットとなってくる。もしディスプレイ１２のマトリクス行数Ｎが２の冪乗でないならば、行信号２８１−２８Ｎは、もう一つ上の２の冪乗に対応する次数すなわち２Ｓ−１＜Ｎ≦２Ｓなる次数を持つウォルシュ関数マトリクスから選定されなければならない。ウォルシュ・マトリクスは、直交性の条件により同じ行信号２８ｉが一回より多く使われることを許されないから、ディスプレイに等しいかそれより多い行数を持たなければならない。例えば、Ｎ＝４８０・・・ならば、４８０個の相異なるすなわち固有の・・・行信号が、５１２個の時間間隔Δｔを持つ５１２個のウォルシュ関数のセットから選択される。この例ではＳ＝９である。」（【００３９】〜【００４２】）、
「【００５６】スウィフト関数＜Ｓｗｉｆｔ　Ｆｕｎｃｔｉｏｎｓ＞
既に論じたように、図１のアナログ行信号２８１−２８Ｎは、アナログ回路素子で生成された波形を使って実現できる。・・・スウィフト関数は、例えばウォルシュ関数又はＰＲＢＳ関数から導くことができる。
【００５７】〔ウォルシュ関数に基づくスウィフト関数〕スウィフト・マトリクスはウォルシュ・マトリクス４２からＮ行を選択することにより導かれる。選択される行は、最高のシーケンシーを持つシーケンシーの順に並べたウォルシュ波のセットから導かれるのを好適とする。
【００５８】シーケンシーが高い方の行を用いる事の１つの利点は、ウォルシュ・マトリクス４２の最初の行を用いるに及ばないことである。最初の行はそれが常に＋１である点が独特であるのに対し、それ以外の行はすべて同数の正の振幅の時間間隔と負の振幅の時間間隔とを持っている。最初の行を考慮に入れないことは、ピクセル電圧がフレーム周期に亙って平均されているときには、ディスプレイ１２のピクセルを横切る正味直流コンポネントにより生じる画質劣化を除去する。ピクセルを横切る平均正味直流コンポネントは、周期の全時間間隔Δｔに亙り平均された列電圧振幅ＧＩ（ｔ）と行電圧振幅Ｆｉ（ｔ）との差から定まる。
【００５９】スウィフト波形Ｓｉが用いられる時には正味直流コンポネントにより生じる画質劣化がないから、各フレーム周期後に行信号２８１−２８Ｎ及び列信号３０１−３０Ｍを反転する必要はない。更に、本発明では表示情報は各フレーム周期後に変更するのが好適であろう。
【００６０】スウィフト・マトリクスはそのＮ行のうちの一部分をランダムに反転することにより更に変形することがだきる。反転は選定された行の各エレメントに−１を掛けることにより行われる。１つの好適実施例では、スウィフト・マトリクス中の約半数の行が反転される。こうして任意の時間間隔に対し、約半数の行が＋Ｆという電圧を受け取り、残りの行が−Ｆという電圧を受け取る。それ以外の時間間隔に対しては、異なる行が＋Ｆ及び−Ｆという電圧に対して選択されるという以外は、この割合は殆ど同じままである。
【００６１】このやり方でスウィフト波を反転することは直交性にも正規性にも影響しないが、種々の幅の縞や格子・・・が表示される時に起きるであろうような、ある種の共通情報パターンの可能性を除去して、情報ベクトルＩｊとスウィフト関数ベクトルとの間に異常に高いか又は異常に低い整合数を生成することになり、従ってある時間間隔に対して大きなＧＩｊ電圧を生成することになるであろう。
【００６２】スウィフト・マトリクスはまた、行の順序を入れ替えることにより変形することもできる。これは直交正規性に影響しないし、ある状況の下では表示ストリーキング・・・効果を減少させるのに用いることできる。
【００６３】〔最大長ＰＲＢＳに基づくスウィフト関数〕最大長ＰＲＢＳ関数は、大きいＬに対して殆ど直交ではあるけれども、本発明のマトリクス・アドレスにこの形で使われると、やはり漏話を誘起するであろう。最大長ＰＲＢＳ関数から理論的に直交する関数を得るためには、もう１つ余分の時間間隔をＰＲＢＳ関数に付け加えて、この時間間隔中にはスウィフト関数の値を強制的に常に＋１か又は−１かのいずれかにさせることにより、新しいスウィフト関数のセットが創成される。すなわちＰｉ（Ｌ＋１）＝＋１又は−１である。その結果、今やパルス列は、所望の直交正規性
・・・を具える正確に２Ｓ個の時間間隔を持つ。
【００６４】関数が正味直流値を持たないことを保証するためには、Ｐｉ（Ｌ＋１）＝＋１を選ぶのが好適である、すなわちΣｊ＝１(Ｌ＋１)Ｐｉｊ＝０である。」（【００５６】〜【００６４】）、
「〔その他の直交正規双レベル関数に基づくスウィフト関数〕当業者はすぐ認識されるであろうように、スウィフト関数用に使用できた直交正規双レベル関数の数には実際上限定はない。例えば上述のウォルシュ関数に基づくスウィフト関数は、スウィフト・マトリクス中の任意の数の列を単に入れ替えるだけで、完全に異なるスウィフト関数のセットに変換できたのであって、その手順は直交正規性には影響しない。云うまでもなく同じことは最大長ＰＲＢＳに基づくスウィフト関数に対しても成り立つのである。スウィフト関数は任意の数の列を反転することによっても、換言すればそれらの列に−１を掛けることによっても、変換できた。しかしそれは望ましいものではなかった、と云うのは、直交正規性こそ維持するものの、この変換は一般的にピクセルを横切る正味直流電圧を誘起し、それを除去するために１フレーム周期置きにすべての駆動レベルを反転することが必要になるからである。」（【００６７】）
　
３．対比・判断
　本願発明と引用例とを対比する。
（１）両者が、「略直交する電極群を有した液晶セルと、所定の関数に従った電圧値を用いて前記液晶セルの一方の電極群の複数行に同時に電圧を印加する第１の回路と、表示の画素情報を前記所定の関数に従って印加電圧を決定し前記液晶セルの他方の電極群に電圧を印加する第２の回路」を有する「液晶表示装置」であることは明らかである。
（２）本願明細書を参酌すると、本願明細書には、「【０００９】２は液晶セル１に走査側の電圧を印加する第１の回路で、印加電圧は所定の関数に従った電圧値が用いられ、液晶表示器の第１の電極群の複数行ｎ＝３に同時に電圧を印加するものである。所定の関数としては正規直交マトリクスのウオルシュ（Ｗａｌｓｈ）関数・・・があり、この関数の任意の行ベクトルを重複せずにｎ＝３個取り出してマトリクスＡとして用いることができる。いま周期の最小公倍数が２４である図３のような３個の関数・・・は、各々＋１、−１の２値が当てはめられており、これに対応するＶ＋、Ｖ−および後述するゼロ電位を選択して液晶表示器を駆動することになる。同時に１画面分の走査電極に電圧を印加する場合（この液晶セルで９行に一括して電圧を印加する場合）にはゼロ電位は不要である。」と記載されており、これによれば「複数のバイアス電圧」とは、「Ｖ＋、Ｖ−」の２値をも含むものである。
　これに対し、引用例には、「【００６０】スウィフト・マトリクスはそのＮ行のうちの一部分をランダムに反転することにより更に変形することがだきる。（審決注：「だきる」は「できる」の誤記）反転は選定された行の各エレメントに−１を掛けることにより行われる。１つの好適実施例では、スウィフト・マトリクス中の約半数の行が反転される。こうして任意の時間間隔に対し、約半数の行が＋Ｆという電圧を受け取り、残りの行が−Ｆという電圧を受け取る。それ以外の時間間隔に対しては、異なる行が＋Ｆ及び−Ｆという電圧に対して選択されるという以外は、この割合は殆ど同じままである。」と記載されており、これも複数の電圧（＋Ｆ及び−Ｆ）が印加されることを示すものであるから、両者はこの点において差異はない。
（３）引用例には、「【００５９】スウィフト波形Ｓｉが用いられる時には正味直流コンポネントにより生じる画質劣化がない」、「【００６０】スウィフト・マトリクスはそのＮ行のうちの一部分をランダムに反転する・・・反転は選定された行の各エレメントに−１を掛けることにより行われる。１つの好適実施例では、スウィフト・マトリクス中の約半数の行が反転される。こうして任意の時間間隔に対し、約半数の行が＋Ｆという電圧を受け取り、残りの行が−Ｆという電圧を受け取る。それ以外の時間間隔に対しては、異なる行が＋Ｆ及び−Ｆという電圧に対して選択されるという以外は、この割合は殆ど同じままである。」、「【００６４】関数が正味直流値を持たないことを保証するためには、Ｐｉ（Ｌ＋１）＝＋１を選ぶのが好適である、すなわちΣｊ＝１(Ｌ＋１)Ｐｉｊ＝０である。」と記載されており、これは、引用例のものが、「前記第１、第２の回路は所定周期で前記所定の関数の極性を変化させて電極群に印加される電圧の極性を反転させる」との技術的事項に相当する事項を有することを示すものである。
　上記考察（１）〜（３）から、両者は、「略直交する電極群を有した液晶セルと、所定の関数に従った電圧値を用いて前記液晶セルの一方の電極群の複数行に同時に電圧を印加する第１の回路と、表示の画素情報を前記所定の関数に従って印加電圧を決定し前記液晶セルの他方の電極群に電圧を印加する第２の回路と、第１の回路と前記第２の回路に複数のバイアス電圧を供給するバイアス回路とを有し、前記第１、第２の回路は所定周期で前記所定の関数の極性を変化させて電極群に印加される電圧の極性を反転させる液晶表示装置」である点で一致し、次の点で相違する。
　
相違点：
　本願発明のものは、「第２の回路に供給するバイアス電圧群を第１の回路に供給する電圧値の中心電位に対して略対称にし」ているのに対し、引用例には、この点について直接の記載がない点。
　
　上記相違点について検討すると、本願発明が上記相違点の技術的事項を有している理由は、「あるいは本発明は、所定の関数に従った電圧値を用いて液晶セルの一方の電極群の複数行に同時に電圧を印加する第１の回路と、表示の画素情報を所定の関数に従って複数の電圧値から選択して印加電圧を決定し液晶セルの他方の電極群に電圧を印加する第２の回路とを有し、第２の回路の各々の電圧値は第１の電圧値の中心電位に対して略対象となるように構成したものである。・・・【作用】これによって画素の各々に印加される電圧が一定の条件の元に平均化される。言い換えると、上述の表示品位の劣悪化は後述するように演算結果の片寄りあるいは誤差の累積と推測されるが、それが相殺されるものと推測される。」（本願明細書【０００５】〜【０００７】）と記載されるように、液晶への直流分を零にすることにある。
　引用例に、「【００５８】・・・それ以外の行はすべて同数の正の振幅の時間間隔と負の振幅の時間間隔とを持っている。・・・ピクセル電圧がフレーム周期に亙って平均されているときには、ディスプレイ１２のピクセルを横切る正味直流コンポネントにより生じる画質劣化を除去する。ピクセルを横切る平均正味直流コンポネントは、周期の全時間間隔Δｔに亙り平均された列電圧振幅ＧＩ（ｔ）と行電圧振幅Ｆｉ（ｔ）との差から定まる。」、「【００５９】スウィフト波形Ｓｉが用いられる時には正味直流コンポネントにより生じる画質劣化がない」、「【００６４】関数が正味直流値を持たないことを保証するためには・・・すなわちΣｊ＝１(Ｌ＋１)Ｐｉｊ＝０である。」と記載されるように、引用例のものも、本願発明のものと同様に、直流成分を有さないように意図されたものである。また、引用例の上記「ピクセルを横切る平均正味直流コンポネントは、周期の全時間間隔Δｔに亙り平均された列電圧振幅ＧＩ（ｔ）と行電圧振幅Ｆｉとの差から定まる。」（【００５８】）との記載は、第２の回路に供給する電圧（例えば行電圧振幅Ｆｉ（ｔ））と第１の回路に供給する電圧（例えば列電圧振幅ＧＩ（ｔ））の関係で直流分が生ずることを示すものであるから、直流分を生じさせないようにするためには、両方の電圧の平均値に差がないようにすべきことは該記載から明らかであって、そのために上記相違点の技術的事項とすることは当業者が任意に設計し得る事項に過ぎない。
（なお、液晶に直流電流を印加すべきでないことは周知のことであって、技術水準といえる事項である。）
　
４．むすび
　したがって、本願発明は、引用例に記載された発明に基づいて当業者が容易に発明をすることができたものであるから、特許法２９条第２項の規定により特許を受けることができない。
　よって、結論のとおり審決する。